(57)【要約】      （修正有）【課題】シール部材の劣化を抑制して試料保管庫内の気密性を維持する気密シャッター機構を提供すること。【解決手段】開口領域にシャッター板１５２を重ねるように壁面ＷＳに沿ってスライドするとともに一対のヒンジユニットを介してシャッター板１５２に接続されているキャリア１１０と、開口領域にシャッター板１５２を重ねるようにキャリア１１０をスライドさせた際にシャッター板１５２の移動を規制するとともに壁面領域ＷＳ−１に設けられているストッパ１２０とを備えている気密シャッター機構１００。【選択図】図６
2014051341.tif 000002
【特許請求の範囲】
【請求項１】
試料保管庫の内部空間と前記試料保管庫の外部空間とを相互に仕切る壁の壁面に形成された開口領域の縁に沿って延びるシール部材にシャッター板を密着させて前記開口領域を閉じる気密シャッター機構において、
前記開口領域にシャッター板を重ねるように前記壁面に沿ってスライドするキャリアが、前記シャッター板に接続された少なくとも前後一対のヒンジ部をそれぞれ有する一対のヒンジユニットを介して前記シャッター板に接続され、
前記開口領域にシャッター板を重ねるように前記キャリアをスライドさせた際にシャッター板の移動を規制するストッパが、前記開口領域の奥側に延びる壁面領域に設けられていることを特徴とする気密シャッター機構。
【請求項２】
前記キャリアに固定設置されたカムレバー用当接部に一端を当接したカムレバーが、前記シャッター板の側方端面に固定された支点軸に支持され、
前記シャッター板の移動を規制した際にカムレバーの他端に押し当てられる押し当てブロックが、前記キャリアに固定設置されていることを特徴とする請求項１に記載の気密シャッター機構。
【発明の詳細な説明】
【技術分野】
【０００１】
本発明は、例えば、創薬（ｄｒｕｇ  ｄｉｓｃｏｖｅｒｙ）、すなわち、医学、生物工学および薬学における創薬用の試料保管庫に用いられる気密シャッター機構に関する。
【背景技術】
【０００２】
創薬研究の分野では低温で保管した大量の試料を分析する実験を高効率で行う必要があるため、試料を収容したトレイを必要に応じて自動的に取り出せる機構を備えたストレージシステムが提案されている（例えば、特許文献１参照）。
また、創薬用の試料保管庫では、試料保管庫内の気密性を維持して試料の変質を防ぐことが効率良く実験を行ううえで重要である。
このため、図１５乃至図２２に示すシャッター機構５００が創薬用の試料保管庫に用いられる場合がある。
図１５乃至図２２に示すシャッター機構５００は、試料保管庫の外部空間と内部空間を仕切る壁Ｗの壁面ＷＳに形成された開口領域ＯＲすなわち試料を出し入れする窓領域の縁に沿って配置されたシール部材５５１と、ガイド５８１の長手方向に沿ってスライドするキャリア５１０と、このキャリア５１０にヒンジ部５５３を介して接続された状態でガイドピン５８２をガイド溝５８１Ａに沿わせてキャリア５１０とともに移動するシャッター板５５２とを備え、シール部材５５１とシャッター板５５２とを密着させて開口領域ＯＲを閉じることで試料保管庫の内部空間を密閉するものである。
【先行技術文献】
【特許文献】
【０００３】
【特許文献１】米国特許第７６４８３２１号明細書
【発明の概要】
【発明が解決しようとする課題】
【０００４】
しかしながら、上述のストレージシステムでは、収納スペースとトレイシャトルコンパートメントとの間に設けられた絶縁パーティションのサイズを変更することで収納スペース内の気密性を維持しているため、収納スペース及びトレイシャトルコンパートメントと絶縁パーティションとの間にギャップが生じた場合に収納スペース内の気密性を維持し難いという問題点があった。
また、上述のシャッター機構５００では、図１５乃至図２２に示すように、移動方向ＳＤ１にシャッター板５１０を移動させて開口領域ＯＲを閉じる度にシャッター板５５２がシール部材５５１に斜めに接触するため、シール部材５５１とシャッター板５５２との摩擦によってシール部材５５１が劣化して試料保管庫内の気密性を維持できなくなるという問題点があった。
【０００５】
そこで、本発明が解決しようとする技術的課題、すなわち、本発明の目的は、シール部材の劣化を抑制して試料保管庫内の気密性を維持する気密シャッター機構を提供することである。
【課題を解決するための手段】
【０００６】
本請求項１に係る発明は、試料保管庫の内部空間と前記試料保管庫の外部空間とを相互に仕切る壁の壁面に形成された開口領域の縁に沿って延びるシール部材にシャッター板を密着させて前記開口領域を閉じる気密シャッター機構であって、前記開口領域にシャッター板を重ねるように前記壁面に沿ってスライドするキャリアが、前記シャッター板に接続された少なくとも前後一対のヒンジ部をそれぞれ有する一対のヒンジユニットを介して前記シャッター板に接続され、前記開口領域にシャッター板を重ねるように前記キャリアをスライドさせた際にシャッター板の移動を規制するストッパが、前記開口領域の奥側に延びる壁面領域に設けられていることにより、前記課題を解決したものである。
【０００７】
本請求項２に係る発明は、請求項１に係る気密シャッター機構の構成に加えて、前記キャリアに固定設置されたカムレバー用当接部に一端を当接したカムレバーが、前記シャッター板の側方端面に固定された支点軸に支持され、前記シャッター板の移動を規制した際にカムレバーの他端に押し当てられる押し当てブロックが、前記キャリアに固定設置されていることにより、前記課題を解決したものである。
【発明の効果】
【０００８】
本請求項１の発明に係る気密シャッター機構は、試料保管庫の内部空間と試料保管庫の外部空間とを相互に仕切る壁の壁面に形成された開口領域の縁に沿って延びるシール部材にシャッター板を密着させて開口領域を閉じることにより、試料保管庫の内部空間と外部空間とをシャッター板で仕切ることができるばかりでなく、以下のような本発明に特有の効果を奏することができるものである。
すなわち、請求項１の発明に係る気密シャッター機構では、開口領域に前記シャッター板を重ねるように壁面に沿ってスライドするキャリアが、シャッター板に接続された少なくとも前後一対のヒンジ部をそれぞれ有する一対のヒンジユニットを介してシャッター板に接続され、開口領域にシャッター板を重ねるようにキャリアをスライドさせた際にシャッター板の移動を規制するストッパが、開口領域の奥側に延びる壁面領域に設けられていることにより、壁面に沿ったシャッター板の移動を規制することで生じるヒンジ部の倒れに応じてシャッター板がシール部材に向かって垂直に接触し、開口領域を閉じる度に生じるシャッター板とシール部材との間の摩擦を低減するため、シール部材の劣化を抑制して試料保管庫内の気密性を維持することができる。
【０００９】
本請求項２に係る気密シャッター機構によれば、請求項１に係る気密シャッター機構が奏する効果に加えて、前記キャリアに固定設置されたカムレバー用当接部に一端を当接したカムレバーが、前記シャッター板の側方端面に固定された支点軸に支持され、前記シャッター板の移動を規制した際に前記カムレバーの他端に押し当てられる押し当てブロックが、前記キャリアに固定設置されていることにより、カムレバーの回動動作に応じてカムレバーの一端がカムレバー用当接部に押さえられて支点軸からシール部材に向かう押し付ける力がシャッター板に作用するため、シャッター板と劣化が抑制されたシール部材との密着力を高めて試料保管庫内の気密性を維持することができる。
【図面の簡単な説明】
【００１０】
【図１】本発明の気密シャッター機構を備えた試料保管庫の正面図。
【図２】図１のＩＩ−ＩＩ線断面図。
【図３】図１のＩＩＩ−ＩＩＩ線断面図。
【図４】図１中のＡ方向から本発明の気密シャッター機構を見た側方図。
【図５】図１のＶ−Ｖ線断面図。
【図６】本発明の気密シャッター機構の動作を順に示した動作図。
【図７】本発明の気密シャッター機構の一部を拡大した斜視図。
【図８】開口領域を閉じる前における本発明の動作状態を示した平面図。
【図９】図８のＩＸ−ＩＸ線断面図。
【図１０】図８中のＢ方向から本発明の気密シャッター機構を見た側方図であって、開口領域がシャッター板で閉じられていない状態に対応する図。
【図１１】開口領域を閉じた時の動作状態を示した平面図。
【図１２】図１１のＸＩＩ−ＸＩＩ線断面図。
【図１３】図１１中のＢ方向から本発明の気密シャッター機構を見た側方図であって、開口領域がシャッター板で閉じられた状態に対応する図。
【図１４】本発明におけるシャッター板とシール部材との接触状態を示した概念図。
【図１５】従来の気密シャッター機構の要部斜視図。
【図１６】開口領域を閉じる前における従来の気密シャッター機構の動作状態を示した平面図。
【図１７】図１６のＸＶＩＩ−ＸＶＩＩ線断面図。
【図１８】図１６中のＢ方向から従来の気密シャッター機構を見た側方図。
【図１９】開口領域を閉じた時における従来の気密シャッター機構の動作状態を示した平面図。
【図２０】図１９のＸＸ−ＸＸ線断面図。
【図２１】図１８中のＢ方向から従来の気密シャッター機構を見た側方図。
【図２２】従来のシャッター板とシール部材との接触状態を示した概念図。
【発明を実施するための形態】
【００１１】
本発明は、開口領域に前記シャッター板を重ねるように壁面に沿ってスライドするキャリアが、シャッター板に接続された少なくとも前後一対のヒンジ部をそれぞれ有する一対のヒンジユニットを介してシャッター板に接続され、開口領域にシャッター板を重ねるようにキャリアをスライドさせた際にシャッター板の移動を規制するストッパが、開口領域の奥側に延びる壁面領域に設けられ、開口領域を閉じる度に生じるシャッター板とシール部材との間の摩擦を低減し、シール部材の劣化を抑制して試料保管庫内の気密性を維持するものであれば、その具体的な実施の態様は、いかなるものであっても何ら構わない。
【００１２】
例えば、シャッター板の移動が、シャッター板の端面をストッパに当接させることで直接的に規制されてもよいし、シャッター板の端面に設置された部材をストッパに当接させることで間接的に規制されてもよい。
【００１３】
また、本発明の「開口領域の奥側」は、シャッター板で開口領域を閉じる際のシャッター板の移動方向すなわち開口領域の閉方向に沿って開口領域を見た場合における開口領域の手前側に対する逆側を意味する。
なお、本発明の気密シャッター機構は、開口領域が上下方向に沿うように設置された試料保管庫に使用されてもよいし、開口領域が水平方向に沿うように設置された試料保管庫に使用されてもよい。
開口領域が上下方向に沿うように設置された試料保管庫に本発明の気密シャッター機構を使用した場合、本発明の「一対のヒンジユニット」は、「上下一対のヒンジユニット」になる。
【００１４】
[実施例]
以下、本発明の実施例に係る気密シャッター機構１００を図１乃至図１４に基づいて説明する。
ここで、図１は、本発明の気密シャッター機構を備えた試料保管庫の正面図であり、図２は、図１のＩＩ−ＩＩ線断面図であり、図３は、図１のＩＩＩ−ＩＩＩ線断面図であり、図４は、図１中のＡ方向から本発明の気密シャッター機構を見た側方図であり、図５は、図１のＶ−Ｖ線断面図であり、図６は、本発明の気密シャッター機構の動作を順に示した動作図であり、図７は、本発明の気密シャッター機構の一部を拡大した斜視図であり、図８は、開口領域を閉じる前における本発明の動作状態を示した平面図であり、図９は、図８のＩＸ−ＩＸ線断面図であり、図１０は、図８中のＢ方向から本発明の気密シャッター機構を見た側方図であって、開口領域がシャッター板で閉じられていない状態に対応する図であり、図１１は、開口領域を閉じた時の動作状態を示した平面図であり、図１２は、図１１のＸＩＩ−ＸＩＩ線断面図であり、図１３は、図１１中のＢ方向から本発明の気密シャッター機構を見た側方図であって、開口領域がシャッター板で閉じられた状態に対応する図であり、図１４は、本発明におけるシャッター板とシール部材との接触状態を示した概念図である。
なお、本実施例では、開口領域が上下方向に沿うように設置された試料保管庫に本発明の気密シャッター機構を使用した場合を例に挙げている。
【００１５】
なお、図２、図３、図５では、試料保管庫の壁とその外側に配置された気密シャッター機構の構成のみを図示し、試料保管庫の詳細な構成を省略している。
また、図６では、シャッター板１５２の移動がストッパ１２０により規制された状態において、シャッター板１５２が試料保管庫ＳＷの壁Ｗの表面すなわち壁面ＷＳに近づいて行く過程が（ａ）、（ｂ）、（ｃ）、（ｄ）の順に示されている。
そして、図８乃至図１３では、説明の便宜上、気密シャッター機構１００の主要な構成要素のみが図式的に簡略化された状態で示されている。
【００１６】
図１乃至図１４に示すように、本実施例に係る気密シャッター機構１００は、試料保管庫ＳＷに用いられるものであり、キャリア１１０、カムレバー用当接部１１１、ストッパ１２０、カムレバー１３０、押し当てブロック１４０、シール部材１５１、シャッター板１５２、前後一対のヒンジ部１５３、１５３からなるヒンジユニット１５３Ｕ、駆動モータ１６１、プーリー１６２Ａ、１６２Ｂ、１６２Ｃ、１６２Ｄ、１６２Ｅ、１６２Ｆ、駆動モータ用ベルト１６３、駆動シャフト１６４、従動シャフト１６５、キャリア用ベルト１６６、ストッパローラ１６７、軸受ユニット１６８、カムローラ１６９及びカムレバーピン１７１を備えている。
なお、本実施例では、カムレバーピン１７１が、本発明の「支点軸」の一例である。
【００１７】
気密シャッター機構１００は、試料保管庫ＳＷの内部空間と試料保管庫ＳＷの外部空間とを相互に仕切る壁Ｗの壁面ＷＳに形成された開口領域ＯＲの縁に沿って延びるシール部材１５１にシャッター板１５２を密着させて開口領域ＯＲを閉じるように構成されている。
これにより、試料保管庫ＳＷの内部空間と外部空間とをシャッター板１５２で仕切っている。
【００１８】
ここで、図１乃至図５を参照しながら、気密シャッター機構１００の基本的な動作を説明する。
図１乃至図５に示すように、プーリー１６２Ｂが、駆動モータ１６１の出力により駆動されるプーリー１６２Ａを介して駆動モータ用ベルト１６３により駆動される。
プーリー１６２Ｂ、１６２Ｃに接続されている駆動シャフト１６４が、駆動モータ１６１の出力をプーリー１６２Ｃに伝達する。
プーリー１６２Ｄは、軸受けユニット１６８に支持された状態でプーリー１６２Ｃに接続されている従動シャフト１６５に接続されている。
２本のキャリア用ベルト１６６、１６６は、それぞれプーリー１６２Ｃ、１６２Ｅとプーリー１６２Ｄ、１６２Ｆとに巻き掛けられている。
２本のキャリア用ベルト１６６、１６６は、それぞれの駆動に応じて図１中の上下一対のキャリア１１０、１１０をベルト駆動方向に沿ってスライドさせるように構成されている。
また、シャッター板１５２は、それぞれ前後一対のヒンジ部１５３、１５３からなる２つのヒンジユニット１５３Ｕ、１５３Ｕを介してキャリア１１０、１１０に接続されている。
このため、シャッター板１５２は、駆動モータ１６１の出力に応じて図１中の移動方向ＳＤ１及びＳＤ２に移動するようになっている。
【００１９】
なお、移動方向ＳＤ１は、開口領域ＯＲを閉じる際のシャッター板１５２の移動方向すなわち閉方向であり、移動方向ＳＤ２は、開口領域ＯＲを開く際のシャッター板１５２の移動方向すなわち開方向である。
【００２０】
次に、前述した本実施例の気密シャッター機構１００が最も特徴とする具体的な構成について、図１、図４、図６乃至図１４に基づいて詳しく説明する。
図１に示すように、本実施例の気密シャッター機構１００では、開口領域ＯＲにシャッター板１５２を重ねるように壁面ＷＳに沿ってスライドするキャリア１１０は、シャッター板１５２に接続された少なくとも前後一対のヒンジ部１５３、１５３をそれぞれ有する一対のヒンジユニット１５３Ｕ、１５３Ｕを介してシャッター板１５２に接続されている。
加えて、開口領域ＯＲにシャッター板１５２を重ねるようにキャリア１１０をスライドさせた際にシャッター板１５２の移動を規制するストッパ１２０は、開口領域ＯＲの奥側に延びる壁面領域ＷＳ−１に設けられている。
これにより、気密シャッター機構１００では、図６に示すように、壁面ＷＳに沿ったシャッター板１５２の移動を規制することで生じるヒンジ部１５３の倒れに応じて、シャッター板１５２が、図１４に示すようにシール部材１５１に向かって垂直に接触する。
【００２１】
より具体的には、まず、図８乃至図１０に示すように、図８乃至図１０中の白抜き矢印に沿ったキャリア１１０のスライドに応じてシャッター板１５２は、移動する。
次に、図６に示すように、シャッター板１５２のストッパ側端面に接続されたストッパローラ１６７をストッパ１２０に当接させた状態で、図１に示す移動方向ＳＤ１すなわち図１１中の白抜き矢印に沿ってキャリア１１０を押し込むように駆動することにより、ヒンジ部１５３が、図６（ａ）、（ｂ）、（ｃ）、（ｄ）のそれぞれの図中時計回り方向すなわち図中矢印Ｒに沿って倒れていく。
そして、シャッター板１５２と壁面ＷＳとの間隔は、ヒンジ部１５３の倒れに並行して間隔Ｔａ＞Ｔｂ＞Ｔｃ＞Ｔｄの順で次第に狭くなる。
このため、図６（ａ）、（ｂ）、（ｃ）、（ｄ）の順でシャッター板１５２は、シール部材１５１に近づいて行く。
【００２２】
このとき、シャッター板１５２がシール部材１５１に近づいて行く軌道は、大まかにいえば、図１２及び図１３中の白抜き矢印で示した向きに沿った軌道になる。
詳細にみると、シャッター板１５２がシール部材１５１に近づいて行く軌道は、図１４に示すように、図６（ａ）、（ｂ）、（ｃ）、（ｄ）中の矢印Ｒに沿ったヒンジ部１５３の時計回り方向の倒れに応じてシール部材１５１に向かって垂直になる。
その結果、気密シャッター機構１００では、図１４に示すように、シャッター板１５２がシール部材１５１に対して垂直に接触する。
これにより、開口領域ＯＲを閉じる度に生じるシャッター板１５２とシール部材１５１との間の摩擦が低減されるため、シール部材１５１の劣化が抑制される。
なお、ヒンジ部１５３に設けられた２つの穴のうち図６（ａ）、（ｂ）、（ｃ）、（ｄ）のそれぞれで上側に設けられた一方の穴は、長穴に形成されている。
このため、ヒンジ部１５３は、ヒンジ部１５３の動作時における上死点で動作できる。
【００２３】
また、図６及び図７に示すように、本実施例の気密シャッター機構１００では、キャリア１１０に固定設置されたカムレバー用当接部１１１に一端１３０Ａを当接したＬ字状のカムレバー１３０は、シャッター板１５２の側方端面１５２Ｓに固定されたカムレバーピン１７１に支持されている。
また、シャッター板１５２の移動を規制した際にカムレバー１３０の他端１３０Ｂに押し当てられる押し当てブロック１４０は、キャリア１１０に固定設置されている。
より具体的には、カムレバー用当接部１１１は、キャリア１１０の本体の固定された支持部分１１１Ａと支持部分１１１Ａからシャッター板１５２に向かって延びる庇状部分１１１Ｂとから構成されたＬ字形状を有している。
そして、カムレバー１３０の一端１３０Ａは、シャッター板１５２で開口領域ＯＲを閉じる際に庇状部分１１１Ｂの内側表面、すなわち庇状部分１１１Ｂの両面のうちカムレバー１３０の一端１３０Ａに臨む側の面に当接する。
【００２４】
これにより、カムレバー１３０の回動動作に応じてカムレバー１３０の一端１３０Ａがカムレバー用当接部１１１に押さえられてカムレバーピン１７１からシール部材１５１に向かう押し付ける力Ｆがシャッター板１５２に作用する。
すなわち、シャッター板１５２で開口領域ＯＲを閉じる際に、カムレバー１３０の一端１３０Ａが庇部分１１１Ｂに当接することにより、駆動モータ１６１の推力から変換された押し付け力Ｆがシャッター板１５２に作用する。
このため、本実施例の気密シャッター機構１００は、シャッター板１５２と劣化が抑制されたシール部材１５１との密着力を高めて試料保管庫ＳＷ内の気密性を維持する。
【００２５】
なお、本実施例では、図６に示すカムレバー１３０のレバー比は、Ｌ字状のカムレバー１３０を構成する２つの直線部分の長さの比を変えることで変更されてもよい。
図４に示される駆動モータ１６１は、図７に示す庇部分１１１Ｂを介してカムレバー１３０の一端１３０Ａに作用する。
駆動モータ１６１の推力から押し付け力Ｆへの増幅度は、カムレバー１３０のレバー比の変更に応じて調整自在である。
このため、カムレバー１３０は、そのレバー比の変更に応じてシャッター板１５２をシール部材１５１に強く押し付けることもできる。
【００２６】
このようにして得られた本実施例の気密シャッター機構１００は、キャリア１１０が、シャッター板１５２に接続された少なくとも前後一対のヒンジ部１５３、１５３をそれぞれ有する一対のヒンジユニット１５３Ｕ、１５３Ｕを介してシャッター板１５２に接続され、ストッパ１２０が、開口領域ＯＲの奥側に延びる壁面領域ＷＳ−１に設けられていることにより、開口領域ＯＲを閉じる度に生じるシャッター板１５２とシール部材１５１との間の摩擦を低減し、シール部材１５１の劣化を抑制して試料保管庫ＳＷ内の気密性を維持することができるなど、その効果は甚大である。
【符号の説明】
【００２７】
１００、５００  ・・・  気密シャッター機構
１１０、５１０  ・・・  キャリア
１１１  ・・・  カムレバー用当接部
１１１Ａ  ・・・  カムレバー用当接部の支持部分
１１１Ｂ  ・・・  カムレバー用当接部の庇状部分
１２０  ・・・  ストッパ
１３０  ・・・  カムレバー
１３０Ａ  ・・・  カムレバーの一端
１３０Ｂ  ・・・  カムレバーの他端
１４０  ・・・  押し当てブロック
１５１、５５１  ・・・  シール部材
１５２、５５２  ・・・  シャッター板
１５２Ｓ  ・・・  シャッター板の側方端面
１５３、５５３  ・・・  ヒンジ部
１５３Ｕ  ・・・  ヒンジユニット
１６１  ・・・  駆動モータ
１６２Ａ、１６２Ｂ、１６２Ｃ、１６２Ｄ、１６２Ｅ、１６２Ｆ  ・・・  プーリー
１６３  ・・・  駆動モータ用ベルト
１６４  ・・・  駆動シャフト
１６５  ・・・  従動シャフト
１６６  ・・・  キャリア用ベルト
１６７  ・・・  ストッパローラ
１６８  ・・・  軸受ユニット
１６９  ・・・  カムローラ
１７１  ・・・  カムレバーピン
５８１  ・・・  ガイド
５８１Ａ  ・・・  ガイド溝
５８２  ・・・  ガイドピン
Ｆ  ・・・  シャッター板に作用する押し付け力
ＳＷ  ・・・  試料保管庫
Ｗ  ・・・  試料保管庫の壁
ＷＳ  ・・・  試料保管庫の壁面
ＯＲ  ・・・  試料保管庫の開口領域
ＷＳ−１  ・・・  開口領域の奥側に延びる壁面領域
ＳＤ１  ・・・  開口領域を閉じる際のシャッター板の移動方向
ＳＤ２  ・・・  開口領域を開く際のシャッター板の移動方向
Ｔａ、Ｔｂ、Ｔｃ、Ｔｄ  ・・・  シャッター板と壁面との間隔
Ｒ  ・・・  ヒンジ部の倒れ方向
【図１】
2014051341.tif 000003
【図２】
2014051341.tif 000004
【図３】
2014051341.tif 000005
【図４】
2014051341.tif 000006
【図５】
2014051341.tif 000007
【図６】
2014051341.tif 000008
【図７】
2014051341.tif 000009
【図８】
2014051341.tif 000010
【図９】
2014051341.tif 000011
【図１０】
2014051341.tif 000012
【図１１】
2014051341.tif 000013
【図１２】
2014051341.tif 000014
【図１３】
2014051341.tif 000015
【図１４】
2014051341.tif 000016
【図１５】
2014051341.tif 000017
【図１６】
2014051341.tif 000018
【図１７】
2014051341.tif 000019
【図１８】
2014051341.tif 000020
【図１９】
2014051341.tif 000021
【図２０】
2014051341.tif 000022
【図２１】
2014051341.tif 000023
【図２２】
2014051341.tif 000024